(57)【特許請求の範囲】
【請求項１】
繰り出しリールに巻かれた転着テープを繰り出しながら当該転着テープ上の転着剤を被転着面に転写可能な転着器における転着テープの保持構造であって、
前記繰り出しリールは、前記転着テープのテープ幅の二倍以上となる巻き付け幅を有し、前記テープ幅の二倍以上の巻き幅で転着テープが巻かれていることを特徴とする転着器における転着テープの保持構造。
【請求項２】
繰り出しリールに巻かれた転着テープを繰り出しながら当該転着テープ上の転着剤を被転着面に転写可能な転着器における転着テープの保持構造であって、
前記繰り出しリールは、単一の回転中心軸の軸方向複数箇所に設けられ、これら各繰り出しリールに単一の転着テープが順次巻き回されることで、当該転着テープが各繰り出しリールから順次繰り出し可能に保持されることを特徴とする転着器における転着テープの保持構造。
【請求項３】
前記繰り出しリールには、巻き回された転着テープが散けることを阻止する巻き状態維持手段が設けられていることを特徴とする請求項１又は２記載の転着器における転着テープの保持構造。
【発明の詳細な説明】
【０００１】
【発明の属する技術分野】
本発明は、転着器における転着テープの保持構造に係り、更に詳しくは、携帯性や収納性に優れたスリムな外観形状を備えた転着器を形成するための転着テープの保持構造に関する。
【０００２】
【従来の技術】
従来より、誤字等の修正に用いる白色膜からなる修正剤或いは所定の接着に用いる粘着剤に代表される種々の転着剤を対象として、所要の転写を行うことができる転着器が知られている。この種の転着器としては、例えば、図７に示されるタイプのものが知られている。すなわち、同図において、転着器５０は、正面視略長楕円形状に膨らんだ形状となる本体ケース５１と、この本体ケース５１の内部に配置されるとともに、転着剤が積層された転着テープＴが巻き回される繰り出しリール５３と、当該繰り出しリール５３から繰り出された転着テープＴが反転方向に掛け回され、前記転着剤を図示しない被着面に転写させるヘッド部５４と、転着剤が剥離された後の転着テープＴを巻き取り可能な巻き取りリール５５とを備えて構成されている。このような転着器５０は、ヘッド部５４を前記被着面に押し当てながら所定方向に移動することで、繰り出しリール５３及び巻き取りリール５５が同期回転し、ヘッド部５４の移動軌跡に沿って前記転着剤が被着面に転写されるようになっている。
【０００３】
【発明が解決しようとする課題】
しかしながら、このような転着器５０にあっては、繰り出しリール５３及び巻き取りリール５５は、それぞれ転着テープＴが単列で略同心円状に巻かれる構造となっているため、転着器５０の内部に、転写テープＴの最大巻き径分のスペースを確保しなければならず、本体ケース５１を図示のような膨らんだ形状にせざるを得ない。この形状は、繰り出しリール５３側の最大巻き径が、転着剤が積層されている分、巻き取りリール５５よりも大きくなっていることに起因する。従って、このような転着器５０にあっては、その内部に、各リール５３，５５の最大巻き径の相違によるデッドスペースをもたらすばかりか、本体ケース５１が膨らんだ形状ゆえに、筆入れや衣服のポケット等に入れにくく、携帯に不便であるとともに、以下のように、収納性が必ずしも良好でないという不都合がある。
すなわち、この種の転着器５０は、ペンスタンドに立てた状態で収納するか、机の引き出し等に収納するのが一般的であり、前述のような転着器５０の形状では、ペンスタンドに収容しても、転着器５０を外側から視認できないばかりか、ペンスタンドの収納領域を狭めてしまうという不都合がある。また、転着器５０を机の引き出し等に収納する際には、転着器５０が横たわった状態で収納されるため、当該引き出しの内部にデッドスペースを生じさせるという不都合がある。ここで、転着テープＴの厚みを薄くし、或いは、その長さを短くすることで、繰り出しリール５３の最大巻き径を減少させれば、物理的に転着器５０をスリム化、コンパクト化できる。ところが、転着テープＴの厚みは、技術的要素、強度、或いは、転着剤を修正剤としたときの隠蔽性等を考慮すると所定値以下にすることはできず、また、粘着テープＴの長さは、利便性を考慮するとあまり短くすることはできない。このため、前述の繰り出しリール５３の構造では、転着器５０のスリム化、コンパクト化を実現するのに自ずと限界があった。
【０００４】
【発明の目的】
本発明は、このような不都合に着目して案出されたものであり、その目的は、利便性を損ねることなく転着器のスリム化、コンパクト化を実現でき、当該転着器の携帯性及び収納性を向上することができる転着器における転着テープの保持構造を提供することにある。
【０００５】
【課題を解決するための手段】
前記目的を達成するため、本発明は、繰り出しリールに巻かれた転着テープを繰り出しながら当該転着テープ上の転着剤を被転着面に転写可能な転着器における転着テープの保持構造であって、
前記繰り出しリールは、前記転着テープのテープ幅の二倍以上となる巻き付け幅を有し、前記テープ幅の二倍以上の巻き幅で転着テープが巻かれる、という構成を採っている。このような構成によれば、転着テープの厚みや長さを変えることなく、当該転着テープの繰り出しリールへの最大巻き径を減少させることができ、転着器の内部のデッドスペースを低減することができるとともに、転着器のスリム化、コンパクト化を図ることができ、細長いペンタイプにすることも可能となる。このため、転着器の携帯性及び収納性を大幅に向上させることができる。また、転着テープの繰り出しリールへの最大巻き径が減少することで、転着テープを巻き取る巻き取りリールと前記繰り出しリールとの巻き径差を小さくすることができる。これにより、転着テープをたるみなく巻き取るために行われる何れかの一方のリールにおける空すべりのすべり量が減少し、当該すべり量に比例する転着テープの繰り出し操作の重さを低減でき、転着テープの繰り出し動作をスムースに行うことができる。
【０００６】
また、本発明は、繰り出しリールに巻かれた転着テープを繰り出しながら当該転着テープ上の転着剤を被転着面に転写可能な転着器における転着テープの保持構造であって、
前記繰り出しリールは、単一の回転中心軸の軸方向複数箇所に設けられ、これら各繰り出しリールに単一の転着テープが順次巻き回されることで、当該転着テープが各繰り出しリールから順次繰り出し可能に保持される、という構成をも採っている。このような構成によっても、転着テープの厚みや長さを変えることなく、当該転着テープの繰り出しリールへの最大巻き径を減少させることができ、転着器のスリム化、コンパクト化を図ることができる。
【０００７】
【発明の実施の形態】
本発明において、前記繰り出しリールには、巻き回された転着テープが散けることを阻止する巻き状態維持手段が設けられる、という構成を採ることが好ましい。このように構成することで、繰り出しリールに巻き回された転着テープＴが散けることなく繰り出されるため、転着テープＴの繰り出し時における当該転着テープＴのたるみ等が防止され、より安定した転着テープＴの繰り出しが可能となる。
【０００８】
なお、本明細書において、「転着器」とは、誤字等の修正に用いる白色膜からなる修正剤、或いは、所定の接着に用いる粘着剤等の転着剤を転写可能に設けられたものを意味し、前記転着剤が転写された後の転着テープを巻き取り可能な構造のものの他に、転着テープを単に繰り出すのみの構造のものをも含む概念として用いられる。
【０００９】
【実施例】
以下、本発明の実施例について図面を参照しながら説明する。
【００１０】
［第１実施例］
図１には、本実施例に係る転着テープの保持構造を転着器とともに表した正面図が示され、図２には、図１の平面図が示されている。これらの図において、転着器１０は、図１中左右方向に延びる細長いペン状の本体ケース１１と、この本体ケース１１の内部に配置されるとともに、図示しない転着剤が積層された転着テープＴが巻き付けられた繰り出しリール１３と、当該繰り出しリール１３から繰り出された転着テープＴが反転方向に掛け回され、図示しない紙等の被着面に前記転着剤を転写するヘッド部１４と、当該転写後に転着剤が剥離された転着テープＴを巻き取り可能な巻き取りリール１５とを備えて構成されている。このように構成された転着器１０は、ヘッド部１４の図１中上側部分を被着面に押し当てながら所定方向に移動させることで、繰り出しリール１３及び巻き取りリール１５が同期回転しながら転着テープＴが移動し、当該転着テープＴの転着剤が被着面に転写可能に設けられる。
【００１１】
前記繰り出しリール１３は、図３及び図４にも示されるように、前記本体ケース１１に回転可能に支持された支持軸１７と、この支持軸１７の軸方向に沿って所定の間隔を隔てて設けられた一対のフランジ部１９，１９と、これらフランジ部１９，１９の間に設けられて転着テープＴが巻かれる領域となる略円筒状のテープ保持部２０（図４参照）とによって構成されており、支持軸１７が回転すると、その回転方向と同じ方向にテープ保持部２０が回転するようになっている。
【００１２】
前記テープ保持部２０は、前記転着テープＴのテープ幅の二倍以上となる巻き付け幅を備えてなり、本実施例では、略同心円状に巻いた転着テープＴを前記軸方向に沿う二列に亘って保持可能に設けられている。ここで、テープ保持部２０の軸方向の略中央位置には、二列に巻き回された転着テープＴが散けることを阻止する巻き状態維持手段としての仕切り部材２２が設けられている。この仕切り部材２２は、テープ保持部２０の回りに螺旋状に巻かれた二枚の螺旋部材２４を相互に連ねることによって形成されており、テープ保持部２０を略二分割となる第１及び第２の領域２０Ａ，２０Ｂに仕切るようになっている。これら第１及び第２の領域２０Ａ，２０Ｂは、略同心円状に巻かれた単列の転着テープＴをそれぞれ保持できる巻き付け幅になっている。また、各螺旋部材２４，２４は、略同一の形状に設けられており、それらの端部同士が連結可能となる向きに配置されている。このため、これら端部が連結される領域には、テープ保持部２０の外周面から外側に向かって延びる通路２６が形成されることとなる。
【００１３】
このような構成の繰り出しリール１３には、次のようにして、転着テープＴが巻き付けられる。
【００１４】
先ず、転着テープＴの一端側を第１の領域２０Ａの外周面に固定してから、そこに略同心円状に転着テープＴを巻き付けた後、そのリード端側を通路２６から第２の領域２０Ｂ側に通し、当該転着テープＴを引き続いて第２の領域２０Ｂに略同心円状に巻き付ける。なお、繰り出しリール１３に粘着テープＴを巻き付け終わると、そのリード端側は、ヘッド部１４に掛け回され、最終的には、前記巻き取りリール１５の外周面に固定される。このようにして繰り出しリール１３に巻き付けられた転着テープＴが前記ヘッド部１４に繰り出されるときには、前述とは逆に、第２の領域２０Ｂ側に巻かれた転着テープＴが繰り出された後、通路２６を介して、第１の領域２０Ａ側に巻かれた転着テープＴが繰り出されることとなる。
【００１５】
前記巻き取りリール１５は、ヘッド部１４からの転着テープＴが略同心円状に一列で巻き回し可能な巻き取り幅に設けられ、前記本体ケース１１に回転可能に支持された支持軸２８が回転すると、それに伴って回転するようになっている。ここにおいて、繰り出しリール１３及び巻き取りリール１５の各支持軸１７，２８には、ベルト２９が掛け回されており、これによって、各リール１３，１５が同期回転可能となっている。なお、各リール１３，１５の連動は、前述の構造に限らず、所定の歯車等を介して連動させる等種々の構成を採用可能である。
【００１６】
前記ヘッド部１４は、その先端側を被着面側に押し付けながら転着器１０を所定方向に引くと、転着テープＴ上の転着剤が前記被着面に転写可能となる公知の構造が採用されており、ここでは、詳細な説明を省略することとする。
【００１７】
なお、前記第１実施例においては、支持軸１７に一つの繰り出しリール１３が設けられた構成を図示説明したが、本発明はこれに限定されず、転着テープＴが通過可能となる通路が設けられた繰り出しリールを支持軸１７の軸方向に沿う複数箇所に設けてもよい。
【００１８】
次に、本発明の他の実施例について説明する。なお、以下の説明において、前記第１実施例と同一若しくは同等の構成部分については同一符号を用いるものとし、説明を省略若しくは簡略にする。
【００１９】
［第２実施例］
本実施例に係る転着器３０は、図５に示されるように、本体ケース１１の延出方向に沿って延びる単一の回転中心軸３１の軸方向三箇所に、略円筒状の繰り出しリール３２が設けられたところに特徴を有するものである。各繰り出しリール３２は、転着テープＴを単列の略同心円状に巻き付け可能となる巻き付け幅にそれぞれ設定されている。なお、本実施例では、繰り出しリール３２が三箇所に設けられているが、二箇所に設けてもよいし、更に複数箇所に設けてもよい。
【００２０】
本実施例に係る繰り出しリール３２への転着テープＴの巻き付けは、次のようにして行われる。すなわち、単一の転着テープＴの一端をヘッド部１４から最も離れた繰り出しリール３２の外周面に固定してから、当該繰り出しリール３２に転着テープＴを略同心円状に巻き付けた後、ヘッド部１４に向かって、順次、各繰り出しリール３２に巻き付けていく。これにより、転着テープＴは、ヘッド部１４に最も近接した繰り出しリール３２から、ヘッド部１４の反対側に向かって順次繰り出されることになる。ここで、各繰り出しリール３２には、ヘッド部１４側に巻き状態維持手段としての棒材３３が設けられており、繰り出しリール３２からの転着テープＴの繰り出しに伴って、巻き回された転着テープＴが散けることを阻止するようになっている。また、本実施例においても、繰り出しリール３２に巻き付けられた後の転着テープＴのリード端側は、ヘッド部１４に掛け回されて、巻き取りリール３４に固定される。なお、この巻き取りリール３４は、転着テープＴを単列の略同心円状に巻き取ることのできる巻き取り幅となっている。
【００２１】
前記回転中心軸３１は、スプライン軸状に設けられ、巻き取りリール３４と同期回転可能な歯車３６と連動するスプライン軸状の回転軸３７に噛み合っており、これによって、繰り出しリール３２と巻き取りリール３４とが同期回転可能となっている。
【００２２】
［第３実施例］
本実施例は、図６に示されるように、前記第１実施例における仕切り部材２２を設けずに繰り出しリール１３を構成したところに特徴を有する。本実施例における繰り出しリール１３も、転着テープＴのテープ幅の二倍以上となる巻き付け幅を有し、前記テープ幅の二倍以上の巻き幅で転着テープＴが巻かれるようになっている。すなわち、本実施例では、仕切り部材２２がないため、転着テープＴは、繰り出しリール１３にランダムな糸巻き状に巻き付けられることとなる。
【００２３】
従って、以上のような各実施例にあっては、転着テープＴの厚みや長さを変えなくても、繰り出しリール１３，３２の最大巻き径が減少するため、利便性を損ねずに本体ケース１１を細長いペンタイプにすることができる。これにより、転着器１０，３０を、その一部が表出した状態でペンスタンドに収納することや、机の引き出しの中に設けられたペントレイ等に収納することができる他、衣服のポケットや筆入れ等にも収納でき、携帯性も大幅に向上するという効果を得る。
【００２４】
なお、以上の各実施例において説明した構造は、転着剤を修正剤とした修正用の転着器、或いは、転着剤を粘着剤とした接着用の転着器の双方に適用可能である。
【００２５】
【発明の効果】
以上説明したように、本発明によれば、転着テープの厚みや長さを変えることなく、当該転着テープの繰り出しリールへの最大巻き径を減少させることができ、転着器内部のデッドスペースの低減を図ることができるばかりか、転着器全体のスリム化、コンパクト化を促進することができ、携帯性や収納性に優れた転着器の形状とすることが可能となる。
【００２６】
また、従来にあっては、繰り出しリールと巻き取りリール間で転着テープが繋がっている転着器において、最初から最後まで二つのリール間で、たるみなく転着テープを巻き取るには、常に、巻き取り側は繰り出す距離と同じだけ転着テープを巻き取らなければならない。しかし、転着テープが同心円状に巻かれるリールは、スタート時から終了時まで、巻き取り側にあってはテープの巻き径が小から大へ、繰り出し側にあってはテープの巻き径が大から小へそれぞれ変化するため、スタート時点において巻き取り側を繰り出し側と同じ距離巻き取るようにギヤ等で連動するように設定すると、終了時点では、繰り出し側の何倍も早く巻き取ろうとしてしまう。そのため、現状では、繰り出し以上に巻き取ろうとする分を巻き取り側（若しくは繰り出し側）を、ブレーキを掛けながら空すべりするように設定している。そのため、当該空すべりの距離が多ければ多いほど、繰り出しが重くなり、転着テープが切れる等操作上の不都合が生じる。
しかしながら、本発明によれば、同軸上で繰り出しリール側を二列以上に巻くことができるため、スタート時点と終了時点との転着テープの巻き径の差を小さくでき、終了付近での巻き取りリール側（若しくは繰り出しリール側）の空すべり距離が少なくなり、転着テープの繰り出しが重くなることを防止することができる。
【００２７】
更に、繰り出しリールに巻き回された転着テープが散けることを阻止する巻き状態維持手段を設けたから、転着テープＴの繰り出し時における当該転着テープＴのたるみ等が防止され、より安定した転着テープＴの繰り出しが可能となる。
【図面の簡単な説明】
【図１】第１実施例に係る転着テープの保持構造を転着器とともに表した正面図。
【図２】図１の平面図。
【図３】繰り出しリール及び巻き取りリールの概略斜視図。
【図４】繰り出しリールの概略斜視図。
【図５】第２実施例に係る転着テープの保持構造を転着器とともに表した概略斜視図。
【図６】第３実施例に係る繰り出しリール及び巻き取りリールの概略斜視図。
【図７】従来例に係る転着器の断面正面図。
【符号の説明】
１０  転着器
１３  繰り出しリール
２２  仕切り部材（巻き状態維持手段）
３０  転着器
３１  回転中心軸
３２  繰り出しリール
３３  棒材（巻き状態維持手段）
Ｔ  転着テープ
【図１】
0003660947.tif 000002
【図２】
0003660947.tif 000003
【図３】
0003660947.tif 000004
【図４】
0003660947.tif 000005
【図５】
0003660947.tif 000006
【図６】
0003660947.tif 000007
【図７】
0003660947.tif 000008